Podtech/llm-jp-corpus-v4-ja_patent huggingface dataset:
(57)【要約】【課題】  必要な個所のみに装着することができ、接着剤や本来の睫毛が外観に現れないため、非常に自然な印象を与える付け睫毛を提供すること。【解決手段】  中空筒状で、基端部に睫毛挿入口２を開口した睫毛本体１より成る。睫毛本体１の基部に他の付け睫毛の基部を一体に設けても良い。また、色彩を有するものとしたり、外面に、光の反射率が高い素地をコーティングしたり、或いは、ブラックライトを吸収して発光する蛍光材をコーティングすることもできる。【選択図】          図１
2005113302.tif 000002
【特許請求の範囲】
【請求項１】
中空筒状で、基端部に睫毛挿入口を開口した睫毛本体より成ることを特徴とする付け睫毛。
【請求項２】
前記睫毛本体が色彩を有するものである請求項１に記載の付け睫毛。
【請求項３】
前記睫毛本体の基部に他の付け睫毛の基部が一体に設けられた請求項１又は２に記載の付け睫毛。
【請求項４】
外面に、光の反射率が高い素材をコーティングした請求項１乃至３のいずれかに記載の付け睫毛。
【請求項５】
外面に、ブラックライトを吸収して発光する蛍光材をコーティングした請求項１乃至３のいずれかに記載の付け睫毛。
【発明の詳細な説明】
【技術分野】
【０００１】
本発明は、付け睫毛に関する。
【背景技術】
【０００２】
一般的な付け睫毛は、土台となる線状部材に多数の人造毛の基部を取り付け、線状部材を目の縁に沿って接着するようになっている。このような付け睫毛は、不自然な印象を与え、線状部材の一部が剥離した時には、付け睫毛全体が垂れ下がったり浮き上がって非常に目立ち、線状部材或いは一部の人造毛が破損しただけでも、付け睫毛全体が使用できなくなってしまう。
そこで、睫毛の一本一本に直接接着する独立型の付け睫毛が提案されている（特許文献１参照）。しかし、この付け睫毛は、接着剤によるごわつきが睫毛全体に付着して外観に現れるので、どうしても不自然な感じを与えてしまうと共に、取れやすいものであった。
【０００３】
【特許文献１】特開平１０−１８３４１５号公報
【発明の開示】
【発明が解決しようとする課題】
【０００４】
本発明が解決しようとする課題は、必要な個所のみに装着することができ、接着剤や本来の睫毛が外観に現れないため、非常に自然な印象を与える付け睫毛を提供することにある。
【課題を解決するための手段】
【０００５】
本発明の付け睫毛は、中空筒状で、基端面に睫毛挿入口を開口した睫毛本体より成る。
睫毛本体の基部に他の付け睫毛の基部を一体に設けて、睫毛を濃く見せる効果を高めることができる。
装飾性を高めるために、色彩を有するものとしたり、外面に、光の反射率が高い素地をコーティングしたり、或いは、ブラックライトを吸収して発光する蛍光材をコーティングしても良い。
【発明の効果】
【０００６】
本発明によれば、服装や化粧の雰囲気に合わせて、目元の必要な個所のみに装着することができ、いずれかが破損してもその付け睫毛のみを交換すればよい。
また、本来の睫毛、及び、付け睫毛を睫毛に付着させるための薬剤は、付け睫毛により覆われて外観に現れないので、非常に自然な印象を与える。
【発明を実施するための最良の形態】
【０００７】
以下、本発明の実施例を図面に基づいて詳細に説明する。
【実施例１】
【０００８】
図１乃至図４は、実施例１を示す。
図１に示すように、本発明の付け睫毛は、合成樹脂等を素材とした人の睫毛に近い外観、感触の人工毛の睫毛本体１より成り、自然の睫毛よりやや太くて長い形状に形成される。睫毛本体１のサイズは、複数種類用意され、使用時に切断して、適当な長さに調節することができる。
また、睫毛本体１は、中空筒状であって、基端部に睫毛挿入口２が開口している。
さらに、睫毛本体１は、目元をぱっちり見せるために、基部から先端に向かって、上方が凹となるよう湾曲している。
【０００９】
睫毛本体１を湾曲させるには、図２に示すような睫毛カール具３を使用する。睫毛カール具３の表面は凸に湾曲しており、この表面に睫毛本体１を貼り付け、これに熱を加えて睫毛本体１を軟化させるか、軟化剤を用いて軟化させると、睫毛本体１を睫毛カール具３の表面形状に合わせて湾曲させることができ、その後、熱を取り去るか、硬化剤で処理すると、睫毛本体１はその形状に保持される。
また、睫毛カール具３は、その湾曲方向に３つの部材３ａ，３ｂ，３ｃに分割されている。そして、両端の部材３ａ，３ｃを、表面の曲率が異なる部材に交換すると、睫毛本体１の湾曲度を適宜変えることが出来る。
【００１０】
付け睫毛を装着するには、図３に示すように、睫毛本体１を付けようとする睫毛４に接着剤を塗布し（図３のイ）、睫毛４の先端を睫毛本体１の睫毛挿入口２へ差し込み（図３のロ）、睫毛４の外面に睫毛本体１を被せて接着する（図３のハ）。このように睫毛本体１を装着すると、睫毛４及び接着剤が睫毛本体１で被覆されて外観に現れないので、見栄えが非常に自然であり、接着剤が剥がれ難いため、睫毛本体１が脱落しにくい。
また、付け睫毛は、図４に示すように、目の縁の全体に亘って装着しても良いが、目尻等の必要個所のみに装着することもできる。
【実施例２】
【００１１】
図５は実施例２を示す。
実施例２における付け睫毛は、実施例１の睫毛本体１と同様の睫毛本体１’の基部に、他の付け睫毛５の基部を接着等により取り付けて一体に設けてある。他の付け睫毛５は、人の睫毛に類似した外観・感触を有するが、中空筒状である必要はなく、その太さ及び長さは睫毛本体１’と同程度か、或いは、やや細くて短いものとする。なお、他の付け睫毛５は、睫毛本体１’の基部から枝分かれさせても良い。
また、他の付け睫毛５は、睫毛本体１’の片側に１本取り付けるか、左右両側にそれぞれ取り付けることができる。
図５に示す例では、目の中央部分には、睫毛本体１’の両側にそれぞれ他の付け睫毛５を取り付けたものを装着し、目頭部分及び目尻部分には、睫毛本体１’の片側に他の付け睫毛５を取り付けたものを装着してある。
この付け睫毛を装着するには、睫毛本体１’を実施例１と同様にして睫毛４に取り付ければよい。
【００１２】
なお、実施例１及び実施例２において、睫毛本体１，１’及び他の付け睫毛５の外面に、光の反射率が高い素材、例えば、金属粉末を含有した透明塗料等をコーティングすると、非常にきらびやかな装飾効果が得られる。
また、睫毛本体１，１’及び他の付け睫毛５の外面に、ブラックライトを吸収して発光する蛍光材をコーティングしても良い。
さらに、睫毛本体１，１’及び他の付け睫毛５の外面を、様々な色彩に着色することもできる。
【図面の簡単な説明】
【００１３】
【図１】実施例１を示す付け睫毛の斜視図。
【図２】睫毛カール具の側面図。
【図３】実施例１に係る付け睫毛の装着過程を示す側面図。
【図４】実施例１に係る付け睫毛の装着状態を示す正面図。
【図５】実施例２に係る付け睫毛の装着状態を示す正面図。
【符号の説明】
【００１４】
１，１’  睫毛本体
２  睫毛挿入口
３  睫毛カール具
４  睫毛
５  他の付け睫毛
【図１】
2005113302.tif 000003
【図２】
2005113302.tif 000004
【図３】
2005113302.tif 000005
【図４】
2005113302.tif 000006
【図５】
2005113302.tif 000007
(57)【要約】  【課題】  製造が容易で、施工性が良い線格子フエンスを提供する。  【解決手段】  格子パネルＡは線材１、１’を格子状に組み合わせた線格子であり、線材１、１’は格子の交点において溶接されて固定されている。線材１の上下の両端部には支持材２、２が溶接により固定されている。支持材２は線材であっても良いし、板状であっても良い。支持材２が胴縁の役割を果たし、強度の向上を図る。また、線材１の端部１０が露出しないため、端部１０による他のものへの損傷などの危険がない。また、格子パネルＡと胴縁を接続する等の作業が不要になる。【選択図】  図１
2005113377.tif 000002
【特許請求の範囲】
【請求項１】
縦材を有するフエンスにおいて、
前記縦材の端部に支持材を溶接した、
ことを特徴とするフエンス。
【請求項２】
前記支持材が、線材である、
請求項１のフエンス。
【請求項３】
前記支持材が、板材である、
請求項１のフエンス。
【請求項４】
前記フエンスの縦材の端部にテーパ面を成形し、
該テーパ面を有する端部を板材に電気溶接した、
請求項１のフエンス。
【発明の詳細な説明】
【技術分野】
【０００１】
この発明は、フエンスに関する。
【背景技術】
【０００２】
フエンスには多数の種類があるが、その中にパイプや線材などを縦材として用いてフエンスを構成するものが普及している。
このようなフエンスは、通常は縦材の上下端部に胴縁と呼ばれるパイプなどの強度の大きな部材を配設し、強度の強化と支柱への接続性を図っている（特許文献１）。また、縦材の端部を円形に成形し、フエンスパネルの端部に円筒形状を成形し、これを胴縁として強度の強化と支柱への接続性を確保している（特許文献２）。
【０００３】
【特許文献１】特開２０００−３３６９８１号
【特許文献２】特開２００２−２７２３５４号
【発明の開示】
【発明が解決しようとする課題】
【０００４】
しかし、胴縁とフエンスパネルを接続するためには、接続具などが必要である上、施工現場での接続作業を要し、施工効率が悪くなる問題がある。
また、フエンスパネルの端部を円筒形などに曲げ加工する場合には、該曲げ加工のための装置や別工程が必要であり、製造効率の点で問題が多かった。
本発明は上記従来技術の問題を解決することを目的とする。
【課題を解決するための手段】
【０００５】
上記目的を達成するために、本発明は、縦材を有するフエンスにおいて、前記縦材の端部に支持材を溶接した、ことを特徴とする。該支持材としては、線材或いは板材を用いることができる。
また縦材の端部を尖頭状に成形する等、端部にテーパ面を成形し、該端部を板材に電気溶接することにより、縦材の端部に板材を密着させて溶接することができる。
【発明の効果】
【０００６】
本発明のフエンスによれば、製造が容易で、施工性が良いフエンスを提供できる効果がある。
【発明を実施するための最良の形態】
【０００７】
以下本発明の実施の形態を図面に基づいて説明する。
図１は格子フエンスの実施例である。格子パネルＡは線材１、１’を格子状に組み合わせた線格子になっている。線材１、１’は格子の交点において溶接されて固定されている。
【０００８】
縦材である線材１の上下の両端部には支持材２、２が溶接により固定されている。
図２（Ａ）に示すように、支持材２は線材であっても良いし、（Ｂ）に示すように板状の支持材２’であっても良い。
【０００９】
上記構造の格子パネルＡは、支持材２が胴縁の役割を果たし、強度の向上を図ることができる。また、線材１の端部１０が露出しないため、端部１０による他のものへの損傷などの危険がない。また、格子パネルＡと胴縁を接続する等の作業が不要になる。
【００１０】
図３に支持材２の溶接方法の一例を示す。この例では、格子パネルＡの両脇から支持材２、２を供給し、電極５、５により両側から支持材２、２を線材１の両端部１０、１０に押し付けながら電気溶接を行っている。
【００１１】
図４に支持材２が板状のものである場合の溶接方法の一例を示す。この例では線材１の端部１０をθ＝１００〜１２０度のテーパ状に加工して溶接を行っている。このように加工することにより、線材１を支持材２に密着させて溶接することが可能である。
【００１２】
支持材２として、上記したものの他に種々のものが使用可能である。
図５に事例を示す。図中、横方向の線材１は図示を省略してある。
図５の例は支持材２を台形状に曲げた線材又は板材を用いている。（Ａ）（Ｂ）（Ｃ）は上下の支持材２、２’の配設位置、或いは線材１との接続位置を変えた事例を示している。
【００１３】
図６の実施例は、板材を側面図において左右端部を湾曲させて、胴縁とした支持材２”を用いた例を示している。
【００１４】
線材１は全て支持材２に溶接する必要はなく、図７に示すように支持材２に溶接する線材１と支持材２に溶接しない線材１’’とを混在させても良い。この構成により溶接工程の効率化が図れる。
【００１５】
図８は傾斜地用の斜めフエンスの例を示している。線材１が支持材２に斜めに当たると溶接作業が難しくなるため、線材１の両端部に折り曲げ部１５を設けて、端部１０が支持材２に対してほぼ直角に当たるように構成している。
【００１６】
上記実施例では縦材として全て線材１を用いた例を説明したが、縦材は線材１に限定されるものではなく、パイプや中実の棒材などであっても良い。
図９は、パイプ材３を縦材として用い、これを平行にならべて、その上限端部３０、３０で支持材２、２により連結した構成になっている。
【００１７】
パイプ材３の端部３０には図１０に示すように、外周側にテーパ面３５を形成し、パイプ材３を支持材２に密着させて溶接できるようになっている。
【００１８】
パイプ材３の径が大きい場合には、図１１に示すように端部３０の外周側と内周側の両方にテーパ面３５、３５を形成することにより、更に良好な溶接が可能になる。
【図面の簡単な説明】
【００１９】
【図１】本発明の一実施形態を示す概略図。
【図２】本発明の一実施形態の側面図。
【図３】本発明の一実施形態の製造方法の概略説明図。
【図４】本発明の一実施形態の溶接方法の概略説明図。
【図５】本発明の他の実施形態を示す概略図。
【図６】本発明の他の実施形態を示す概略図。
【図７】本発明の他の実施形態を示す概略図。
【図８】本発明の他の実施形態を示す概略図。
【図９】本発明の他の実施形態を示す概略図。
【図１０】本発明の他の実施形態の溶接方法の概略説明図。
【図１１】本発明の他の実施形態の他の溶接方法の概略説明図。
【符号の説明】
【００２０】
１：線材、２：支持材、３：パイプ材、５：電極、１０：端部、１５：折り曲げ部、３０：端部、３５：テーパ面。
【図１】
2005113377.tif 000003
【図２】
2005113377.tif 000004
【図３】
2005113377.tif 000005
【図４】
2005113377.tif 000006
【図５】
2005113377.tif 000007
【図６】
2005113377.tif 000008
【図７】
2005113377.tif 000009
【図８】
2005113377.tif 000010
【図９】
2005113377.tif 000011
【図１０】
2005113377.tif 000012
【図１１】
2005113377.tif 000013
(57)【要約】【課題】  衣類のポケットを補強し、ペンなどをさしても形崩れしないようにする。【解決手段】  ポケット上端部３に、ばね１を具備した衣類。【選択図】  図１
2005113358.tif 000002
【特許請求の範囲】
【請求項１】
ポケット上端部（３）に、ばね（１）を具備した衣類
【請求項２】
ばね（１）の材質として、形状記憶合金を用いた請求項１記載の衣類
【請求項３】
ばね（１）の材質として、弾性樹脂を用いた請求項１記載の衣類
【請求項４】
ポケットの上下方向には伸縮性が乏しく、左右方向には伸縮性、弾性にとみ、前後方向には薄いばね（１）を用いた請求項１記載の衣類
【発明の詳細な説明】
【発明の詳細な説明】
【技術分野】
【０００１】  本発明は、衣類のポケットにペンなどをさした際に、ポケットの形崩れを防ぐためのものである。
【背景技術】
【０００２】  従来のポケットは、ポケット上端部を二つ折りに縫製するなどの補強がされている。
【発明が解決しようとする課題】
【０００３】  Ｙシャツなどの薄手の衣類の場合、ポケットにペンなどをさす際に、ペンなどのクリップをポケット上端部に引っ掛けると、ポケット上端部が下にたわんで、ポケットが形崩れしやすかった。
【課題を解決するための手段】
【０００４】  本発明は、衣類のポケットにペンなどをさした際にも、ポケットが形崩れしにくいように、ポケット上端部に、ばねを具備した衣類である。
【実施例】
【０００５】  従来のポケットの多くは、ポケット上端部３を補強するために、ポケット上端部３が二つ折りに縫製されており、縫製されている２枚の布の間には空洞２が存在する。この空洞２に、空洞を内側から支持するようなばね１を挿入することにより、従来以上にポケット上端部３を補強できる。ばね１の材質としては、形状記憶合金、弾性樹脂などが適当である。ばね１の形態は、ポケットの上下方向には伸縮性が乏しく、左右方向には伸縮性、弾性にとみ、前後方向には薄いものが適しており、図１、図２、図３に示す第１実施例、図４に示す第２実施例などが適当である。
【発明の効果】
【０００６】  このようにすれば、容易にポケットを補強でき、ポケットにペンなどをさした際にも、ポケットが形崩れしにくい。
【図面の簡単な説明】
【図１】      本発明の第１実施例を示す正面図である。
【図２】      本発明の第１実施例のＡ−Ａ断面図である。
【図３】      本発明の第１実施例のＢ−Ｂ断面図である。
【図４】      本発明の第２実施例を示す正面図である。
【符号の説明】
１  ばね
２  空洞
３  ポケット上端部
【図１】
2005113358.tif 000003
【図２】
2005113358.tif 000004
【図３】
2005113358.tif 000005
【図４】
2005113358.tif 000006
(57)【要約】【課題】使用後に自然界中に廃棄されても微生物により分解可能なプラスチック製品の代替え品を提供する。【解決手段】本発明の原料は微生物が分解可能な樹脂は天然高分子系（澱粉と変性ポリビニールアルコール）、発酵生産系（微生物産性ポリエステル）、化学合成系（脂肪族ポリエステル、ポリ乳酸）のペレットを射出成形して生分解性樹脂よりなる糸を製造する。また、この糸を原材料として、糸、網、布、ロープなどの製品を製造する。【特許請求の範囲】
【請求項１】
天然高分子系（澱粉と変性ポリビニールアルコール）、発酵生産系（微生物産性ポリエステル）、化学合成系（脂肪族ポリエステル、ポリ乳酸）を主原料とする糸
【請求項２】
前記請求項１に記載の糸を用いて編成された網
【請求項３】
前記請求項１に記載の糸を用いて編成された布
【請求項４】
前記請求項１に記載の糸を用いて編成されたロープ、紐、チューブ、袋
【発明の詳細な説明】
【技術分野】
【０００１】本発明は、天然高分子系（澱粉と変性ポリビニールアルコール）、発酵生産系（微生物産性ポリエステル）、化学合成系（脂肪族ポリエステル、ポリ乳酸）を原料とした生分解性樹脂で製造したペレットを原料として糸を製造し、用途に応じて加工したものである。
本製品はグリーン購入法対象品目で、石化製品の代替材料、クリーン製造、クリーン素材、クリーン焼却、クリーン廃棄に該当する環境にやさしい素材である。
【発明の開示】
【０００２】現在広く使用されているプラスチック製品は、使用済後に廃棄されると自然界中で分解されず自然分解は２００〜４００年の歳月がかかる。また焼却する場合には、ダイオキシン等の有毒ガスを発生し大気を汚染し且つその燃焼値は高カロリーで大気中の温度上昇の原因となっている。
【発明が解決しようとする課題】
【０００３】本発明は自然界中に廃棄されても微生物により分解可能で、大量に使用されているプラスチック製品に代わって使用できる原料を使用した製品を提供することを課題とする。
【課題を解決するための手段】
【０００４】本発明の原料は微生物が分解可能な、天然高分子系（澱粉と変性ポリビニールアルコール）、発酵生産系（微生物産性ポリエステル）、化学合成系（脂肪族ポリエステル、ポリ乳酸）の樹脂である為使用後に自然界中に廃棄しても微生物により分解可能で又本製品を焼却する場合には速やかに燃焼し灰塵となり及びダイオキシン等の有害物質を発生せず燃焼カロリーも低く大気中の温度上昇の影響を軽減できる。
【発明の効果】
【０００５】本発明の原料は天然高分子系（澱粉と変性ポリエステル）、発酵生産系（微生物産性ポリエステル）、化学合成系（脂肪族ポリエステル）の樹脂で繰り返し生産が可能で無限であり、有限である石油資源の代替となり、よって石油資源の消費の軽減を計りプラスチック製品の使用量が減少し環境問題に貢献できる。
【発明を実施するための最良の形態】
【０００６】本発明の微生物が分解可能な樹脂は、天然高分子系（、澱粉と変性ポリビニールアルコール）発酵生産系（微生物産性ポリエステル）、化学合成系（脂肪族ポリエステル、ポリ乳酸）の原料を使用し製造する。
なお着色を施す場合は環境にやさしい植物性の着色剤を用いる。
また設置施工後の防虫、防土竜対策も植物性の材料を混入する。
上記の工程にて製造した原料を、直接射出成形により糸を製造する。
現在プラスチック製品で廃棄処理が困難なもの、廃棄処理可能だが処理費用が高額なもの、廃棄処理することにより二次災害が発生するもの（廃棄ガス発生・廃煙の発生・廃棄臭の発生）、又放置することにより自然界に悪影響を及ぼすものから限定して代替え製品に官民一体となって取り組む。
【産業上の利用可能性】
【０００７】高速道路、一般道路、山間部道路、海岸道路等に使用されている斜面崩壊防止土木用ネットの代替。【０００８】魚貝類養殖用網の代替【０００９】土木建築現場転落防止安全ネットの代替【００１０】屋外及び屋内運動場用安全ネットの代替【００１１】各種紐、ロープ、紐、チューブ、袋の代替【００１２】農業用資材ネットの代替【００１３】各種製品の縫製用糸の代替
日用品（鞄、履物、その他縫製が必要なもの）
車両、船舶、航空機の内装材（シート、ダッシュボード、床マット）
建築資材（畳、クロス、カーテン）
(57)【要約】【課題】ガーデニング及び畑仕事などの作業中、蚊から顔や首を守るため。【解決手段】ネット素材を利用し、被っていても外が見え、顔や首を蚊から守ることができる。【特許請求の範囲】
【請求項１】
網戸くらいの目のこまかいネット素材で上面部分と下面部分のない筒形の上部、内側に幅約２ｃｍくらいの適性素材、又はバイアステープを内周に縫い付ける。一ヶ所にヒモ通し用の穴をあけておく。この部分はヒモを通したりすべり止め用としての機能を持たせる為、又この部分にヒモを通して各種の帽子のサイズに合わせてヒモを調節することができる。
下部分は本体をバイアステープではさみ込み円周を縫い一ヶ所小さい穴を開けヒモを通せる様にする。本体上部ヒモ通し口に小さいリングを付ける。これはヒモを調節するためのものです。いろいろなデザイン及びサイズの帽子に取り外し可能でガーデニングや畑仕事の時顔や首を蚊から守るための蚊よけ帽子ネット
【発明の詳細な説明】
【発明の詳細な説明】
【技術分野】
【０００１】本体の上部分の内周に幅約２ｃｍくらいの適性素材、バイアステープなどを内周にぐるりと縫い付ける、この部分に一ヶ所穴をあけておく、この部分入口の近くに小さいリングを付けておく、本体下部分はバイアステープではさみ込み円周を縫い一ヶ所小さい穴を開ける
【背景技術】
【０００２】従来のネットは被ることは出来たがいろいろなデザイン、サイズの帽子に簡単に取り付けたりはずしたりすることができなかった。
【発明が解決しようとする課題】
【０００３】いろいろなデザインやサイズの帽子に蚊よけネットを取り付けることによって、顔や首を虫さされから守ることができる様にする。
【この課題を解決するための手段】
【０００４】目のこまかいネット素材で上面部分と下面部分のない筒形でいろいろなデザインやサイズの帽子でも取りはずしが可能で、本体上部分にヒモを通し、そのヒモを調節するためにリングをつける。また外がよく見える様、色の薄い細かいネット素材を使用する。
【発明の実地の形態】
【０００５】網戸くらいの目のこまかいネット素材で上面部分と下面部分のない筒方の上部内側にバイアステープなど適性素材で内周に縫い付ける、縫い止まりの所に一ヶ所穴を開けておく。このバイアステープなどを付けた所はすべり止め及びヒモを通すためです。下部分はバイアステープではさみ込み円周に縫い、ヒモ通し用の穴を一ヶ所開けておく。いろいろなデザインやサイズに簡単に取り付けたりはずしたりができる様にヒモを通しておく。ヒモがゆるんだりしないために本体上部、ヒモ通し入口にリングを付けておく
【実施例】
【０００６】実施例について図面を参照して説明すると図１は蚊よけ帽子ネットの平面図である。図２は蚊よけ帽子ネットの内面図である。
【発明の効果】
【０００７】この発明によってガーデニングや畑仕事の作業中顔や首を虫さされから守ることができる、又、いろいろなデザインやサイズの帽子に簡単に取り付けたりはずしたりすることができる。又ネット素材のため被っていても外が見える。
【図面の簡単な説明】
【０００８】
【図１】蚊よけ帽子ネットの平面図である
【図２】蚊よけ帽子ネットの内面図である
【符号の説明】
１．ヒモ通し用の入り口
２．ストッパー用リング
３．バイアステープ
【図１】
2005113357.tif 000002
【図２】
2005113357.tif 000003
(57)【要約】【課題】肌着として最低必要条件である吸水・消臭機能は、従来の石油系繊維製品ではほとんど望むべくもありません。また、化学薬品を使用している石油系の壁紙、床や天井のシートでは、「シックハウス症候群」は完全に除去することはできません。【解決手段】肌着や住宅の室内環境に最低必要条件である吸水、放湿、消臭、抗菌という特性機能を保有している竹の不織布に、マイナスイオン放射性を付加することによって、それらの諸機能の効果を倍加させ、さらには免疫力を高め、新陳代謝を活発化して、疲労回復を促進し、精神を安定させる効用を発揮する。又、当然ながら「シックハウス症候群」はこれにより完全に除去される。【選択図】図１
2005113360.tif 000002
【特許請求の範囲】
【請求項１】
竹の繊維からなる不織布を使用した衣料、壁紙、床や天井の建材。
【請求項２】
前記不織布をマイナスイオン化処理した溶液に付着させたものであることを特徴とする請求項１記載の衣料、壁紙、床や天井の建材。
【発明の詳細な説明】
【技術分野】
【０００１】本発明は、マイナスイオン化処理した竹の不織布の衣料、壁紙、床や天井の建材に関するものです。
【背景技術】
【０００２】メディカル肌着（病院検査時の着用衣）や携帯肌着、あるいは経帷子は使い捨てを前提としているため、そのほとんどをポリエステル等の石油化学繊維の製品が占めています。また新築、リフォーム後の住宅で居住者が体調不良を訴えるいわゆる「シックハウス症候群」は、室内の壁紙や建材などから放出されるホルムアルデヒドなどの化学物質が原因とされています。
【背景技術】
【０００３】従来の石油系の繊維製品では、肌着本来の目的である吸水機能もなく、ましてや消臭・抗菌機能などは、ほとんど望むべくもありませんでした。
又、それらの機能を付加するためには、化学薬品や炭の粉末を接着させたり、シートに練り込んだりしたが、三層の高さになったり、そのためゴワゴワしたり、肌の弱い人や高齢者には違和感や不快感を感じさせるものであった（特許文献１）。
【特許文献１】特開２０００−３００５９０号公報。
同じように石油系の壁紙や床や天井のシートでは、消臭、抗菌機能はなく、防カビ剤、接着剤等の化学薬品を使用しています。
そのため、室内の空気が汚染され、入居者は「目がチカチカする」「頭が痛い」などの体調不良を感じはじめる「シックハウス症候群」が大きな社会問題となっています。
【発明の開示】
【発明が解決しようとする課題】
【０００４】本発明は、綿の２倍の吸水性だけではなく、放湿、消臭、抗菌という特性をもった竹の不織布に注目した。
又、その竹の不織布にマイナスイオンを付加することによって、前記の竹の特性である吸水、放湿、消臭、抗菌の効果は倍加し、なおかつ身体をリラックスさせたり、新陳代謝を活発化し、疲労回復を促進する効用もある。
【課題を解決するための手段】
【０００５】従来のメディカル肌着や携帯肌着では、使い捨てという基本認識があり、そのため安価という点が第一義的となり、肌着の基本的必要機能である吸水、防臭、抗菌機能は第二義的なものと考えられていた。
又、室内の壁紙や床、天井のシートでは、消臭、抗菌機能を付加するために多くの化学物質を使用せざるをえず、その結果居住者に不快感を与えることになっている。
そこで本発明は吸水、放湿、防臭、抗菌という特性を保有している竹の不織布にマイナスイオン放射性鉱石の粉末を水と混合した上澄み液を付着させた。
【発明の効果】
【０００６】本発明の効果として、竹の繊維からなる不織布を使用した衣料、壁紙、床、天井の建材を提供する。
こうして、マイナスイオン化処理した溶液を付着させることによって、元来、竹の保有している吸水、放湿、防臭、抗菌という諸機能の効果を一層高め、さらには、血中酸素を増加させることによって、疲労を回復させたり、体内の新陳代謝を盛んにし、神経を安定させる効能も得ることが可能になった。
【発明を実施するための最良の形態】
【０００７】マイナスイオン放射性鉱石としてはサマルスキー石、ゼノタイム、トロゴム石、モザナイトなどがあり、いずれも使用できる。【０００８】これらの鉱石、又は鉱石粉末を水と混合し、その鉱石粉末が沈殿した後の液を採取し、竹の不織布に浸けて、マイナスイオンの成分を付着させるのである。
ちなみに、水と鉱石粉末の割合は、水２００リットルに２ｋｇ程度を目途にし、１回につき、竹の不織布は約５００ｍ程度のマイナスイオン処理ができる。【０００９】このマイナスイオン処理加工された竹の不織布は、アンデス電気製、空気イオンカウンターＩＴＣ−２０１Ａで、室温２６℃、湿度４５％の環境で、弱摩擦１５００〜１７００個／ｃｃ、強摩擦で２４００〜２８００個／ｃｃとなっている。【００１０】同時に竹は、植物繊維の為、焼却時に、有毒ガスを発生する石油系化学繊維と違い、地球環境にやさしいという点や、アジア圏に広く分布し、生産量が多く、育成サイクルが２〜３年と早い。又、伐採しないでおくと、土地が荒らしてしまう恐れがあるとして、中国では、土地環境の保護という観点からも、竹の原料の輸出を国策として奨励しているほどである。
このように、原料の安定供給や価格の安定という点からも、竹は非常に注目されている素材である。
【図面の簡単な説明】
【図１】本発明の携帯肌着の前からみた図である。
【図２】本発明の携帯肌着の後からみた図である。
【図３】内股部分の断面図。
【符号の説明】
１．竹の不織布
２．竹の綿
３．竹の不織布
【図１】
2005113360.tif 000003
【図２】
2005113360.tif 000004
【図３】
2005113360.tif 000005
(57)【要約】【課題】  お墓における、石造りの雨水リサイクルポットにより、墓参時の水の利用を容易にする。【解決手段】  雨水ポットの蓋１の撥水効果と水の表面張力で雨水は矢印６のように流れ、面取り３によりその効果を失い間隙４に毛細現象により雨水ポット貯水部本体２に雨水が流れ込む。【選択図】  図１
2005113654.tif 000002
【特許請求の範囲】
【請求項１】
お墓における、石造りの雨水のリサイクルポットの表面に研磨、艶出し加工をして、蓋の各横辺に面取りをする。
【発明の詳細な説明】
【発明の詳細な説明】
【発明の属する技能分野】
【００１】  本発明は、お墓における、石造りの雨水リサイクルポットの雨水の取り込み方に関する。
【発明が解決しようとする課題】
【００２】  従来、お墓では、掃除をしたり、清めたり、花に水をやったりと、とかく水が必要であるが、近くに水道が無かったりすることも多く、遠くから水を運んできたりして不便だった。
【発明が解決するための手段、】
【００３】  石造りの雨水リサイクルポット（図１）の、ポットの蓋１を研磨、艶出し加工を付す。蓋１のそれぞれの横辺に１〜２ミリの面取り３を付す。これにより雨水ポットの貯水部分本体２と、雨水ポットの蓋１との間に１〜２ミリの間隙４が出来る。雨５が降ると、研磨した石の撥水効果と、水の持つ表面張力により盛り上がり、面取り３によりその効果を消滅させて、雨５は矢印６のように雨水ポットの貯水部本体２に、１〜２ミリの間隙４を毛細管現象によって流れ込む。
【発明の効果】
【００４】  本発明は、墓石と同じ石を使うことにより、墓の雰囲気を損なうことも無く、雨水を溜めることが出来るので、近くに水道が無くても、水を持ってくるのを忘れても、雨水を利用でき便利になった。又、ポットと蓋の間隙が１〜２ミリと極小なのでゴミの進入を防ぐことが出来る。
【図面の簡単な説明】
【図１】石造りの雨水リサイクルポット側面図と、雨水の流れ。
【符号の説明】
１雨水ポットの蓋  ２雨水ポットの貯水部本体  ３１〜２ミリの面取り  ４１〜２ミリの間隙  ５雨  ６矢印（雨水の流れをあらわす）
【図１】
2005113654.tif 000003
(57)【要約】【課題】木棒の質感を損なうことなく、腐朽を防止した手摺用握り棒を提供する。【解決手段】木棒１を材料とする手摺用握り棒において、木棒１を芯材として金型に挿入し、金型にプラスチックを流し込んで、木棒１の外周に透明プラスチック製の管状被覆層２を形成する。木棒１が被覆層２で確実に保護されるので、屋外に設置しても朽ちることがなく、被覆層２を介して木目が見えるので、木の質感が損なわれることもない。【選択図】図１
2005113614.tif 000002
【特許請求の範囲】
【請求項１】
木棒を材料とする手摺用握り棒において、木棒を芯材として金型に挿入し、金型にプラスチックを流し込んで、木棒の外周に透明プラスチック製の管状被覆層を形成したことを特徴とする手摺用握り棒。
【発明の詳細な説明】
【技術分野】
【０００１】
この発明は、木棒を材料とする手摺用握り棒に関するものである。
【背景技術】
【０００２】
木棒を材料とする手摺の握り棒は、自然な質感が好まれて、屋外に設置される手摺にも用いられることがある。この場合、木棒が朽ちやすいことから、木棒に薬剤による防腐処理を施すことが考えられる。
【発明の開示】
【発明が解決しようとする課題】
【０００３】
しかしながら、このような防腐処理では、長時間経過すると効果が薄れ、木棒の腐朽が避けられないという問題がある。
【０００４】
そこで、この発明は、木棒の質感を損なうことなく、腐朽を防止した手摺用握り棒を提供することを課題とする。
【課題を解決するための手段】
【０００５】
上記のような課題を解決するため、この発明は、木棒を材料とする手摺用握り棒において、木棒を芯材として金型に挿入し、金型にプラスチックを流し込んで、木棒の外周に透明プラスチック製の管状被覆層を形成したのである。
【発明の効果】
【０００６】
このように木棒を透明プラスチックの管状被覆層で被覆すると、木棒が被覆層で確実に保護されて朽ちることがなく、被覆層を介して木目が見えるので、木の質感が損なわれることもない。
【０００７】
また、被覆層を形成するプラスチックの種類により、透明度、硬度、耐候性等の調整ができ、被覆層のプラスチックに抗菌剤等を混入して機能性を高めたり、金型の内面を加工して、被覆層の表面に滑り止め加工を施したりすることもできる。
【発明を実施するための最良の形態】
【０００８】
以下、この発明の実施形態を添付図面に基づいて説明する。
【０００９】
図１に示すように、この発明に係る手摺用握り棒は、丸棒状の木棒１の外周に、透明プラスチック製の管状被覆層２を形成したものである。
【００１０】
この握り棒を押出被覆成形法により製作するには、図２に示すように、押出機の先端に取り付けた金型３に木棒１を移動自在に挿入し、金型３と木棒１の隙間に溶融したプラスチックを流し込むように押し出しつつ、木棒１を金型３の隙間の開口方向へ送り出し、木棒１の外周に付着したプラスチックを冷却固化させる。
【００１１】
また、射出成形法により製作するには、図３に示すように、木棒１を芯材として一対の金型３，４の内部に収めるように挿入し、金型３，４と木棒１の隙間に溶融したプラスチックを流し込んで、このプラスチックを金型３，４内で冷却固化させる。
【００１２】
このようにして、木棒１を透明プラスチック２の管状被覆層で被覆すると、木棒１が被覆層２で確実に保護されるので、この握り棒は、屋外に設置しても朽ちることがなく、被覆層２を介して木目が見えるので、木の質感が損なわれることもない。
【００１３】
また、被覆層２は、例えば熱収縮チューブを使用したものなどに比べて、厚く硬質のものとなるので、鋭利な物体が衝突しても、破れることがない。
【００１４】
さらに、被覆層２に抗菌剤等を混入して機能性を高めることも容易であり、金型３，４の内面に微細な凹凸を形成して、被覆層２の表面に滑り止め加工を施したり、把持時の手触りを改善したりすることもできる。
【００１５】
なお、被覆層２を形成するプラスチックは、必ずしも無色透明である必要はなく、有色透明として、木棒１の色調を調整し、美観を向上させることもできる。
【図面の簡単な説明】
【００１６】
【図１】この発明の実施形態に係る手摺用握り棒の斜視図
【図２】同上の押出成形法による製作過程を示す断面図
【図３】同上の射出成形法による製作過程を示す断面図
【符号の説明】
【００１７】
１  木棒
２  被覆層
３，４  金型
【図１】
2005113614.tif 000003
【図２】
2005113614.tif 000004
【図３】
2005113614.tif 000005
(57)【要約】【課題】  空気工具の動力源として使用される可搬式コンプレッサにおいて、空気タンクの圧力が減圧弁で設定した調整圧力以下となった時にこれを作業者に知らせ警報すること。【解決手段】  圧力センサ６を介し空気タンク３の圧力を検知する制御部７において、制御部７は減圧弁４で設定した調整圧力と同じ制御動作圧力Ｐ３の設定が可能で、かつ空気タンク３の圧力が設定した制御動作圧力Ｐ３以下となった時に発音部９より警報音を発する。【選択図】  図１
2005113824.tif 000002
【特許請求の範囲】
【請求項１】
電動機、電動機により駆動される圧縮部、圧縮部により圧縮加圧された空気を蓄積する空気タンクとから構成され、釘打機等の動力源として使用される可搬式コンプレッサにおいて、
空気タンクの圧力が減圧弁にて設定した調整圧力以下まで降下した時に警報する警報手段を設けたことを特徴とする可搬式コンプレッサ。
【発明の詳細な説明】
【技術分野】
【０００１】
本発明は空気釘打機等の空気工具の動力源として使用される可搬式コンプレッサに関するものである。
【背景技術】
【０００２】
空気工具の動力源として使用される可搬式コンプレッサの一般的な構造は、電動機により圧縮部が駆動されると、圧縮部は外部より空気を吸込み、これを圧縮加圧し空気タンクに吐出する。この繰り返しにより空気タンクに蓄積される圧縮空気量が増加し、空気タンクの圧力は上昇する。空気タンクの圧力が上昇し設定されている最高圧力に達すると、空気タンクに取り付けられた圧力センサを介して制御部がこれを検知し電動機を停止させる。
【０００３】
空気タンクには減圧弁、エアソケットが取り付けられており、空気タンクに蓄積された圧縮空気は減圧弁にて必要に応じた圧力に調整（減圧）され、エアソケットに接続したエアホースを介して空気工具に供給される。空気工具により圧縮空気が消費され空気タンクの圧力が設定されている再起動圧力まで降下すると、前述と同様に圧力センサを介して制御部がこれを検知し電動機を運転開始させる。このように可搬式コンプレッサは圧縮空気の消費に伴い運転と停止を繰り返す。
【発明の開示】
【発明が解決しようとする課題】
【０００４】
従来の空気工具の動力源として使用される可搬式コンプレッサにおいては、前述の如く圧縮空気の消費により空気タンクの圧力が再起動圧力まで降下すると、圧力センサを介して制御部がこれを検知し電動機を運転開始させるが、この時の再起動圧力は減圧弁の最高調整圧力よりも高く設定されている。これは空気タンクの圧力が降下し減圧弁で設定した調整圧力以下になると、減圧弁の特性上、空気タンクの圧力がそのまま空気工具に供給されてしまうことから、減圧弁の最高調整圧力以上で運転を開始させ空気タンクの圧力が減圧弁の調整圧力以下になることを極力防止するためである。しかしながら、複数の空気工具を同時に使用したり、あるいは消費空気量の大きい空気工具を連続的に使用するなどして、消費空気量が圧縮部からの吐出空気量を超えてしまうと、当然ながら電動機が運転を開始しても空気タンクの圧力は降下し続け最終的には減圧弁での調整圧力以下となり、釘打機であれば打込み力不足による釘浮きといった不具合が発生し、この場合には、作業を一時中断し空気タンクの圧力が上昇するのを待つ必要がある。
【０００５】
このため大量の圧縮空気を消費する際は空気タンクの圧力降下に注意する必要があるが、空気タンクの圧力は空気タンクに取り付けた圧力計等により表示されているため、エアホースにより可搬式コンプレッサから離れた場所で作業している場合には確認が面倒という問題があった。
【課題を解決するための手段】
【０００６】
上記課題を解決するためになされた請求項１記載の可搬式コンプレッサは、空気タンクの圧力が減圧弁にて設定した調整圧力以下まで降下した時に警報する警報手段を設けたことを特徴としている。
【０００７】
かかる構成の可搬式コンプレッサによれば、可搬式コンプレッサより離れた場所で作業していても空気タンクの圧力低下を知らせることができるようになる。
【発明の効果】
【０００８】
以上のように本発明によれば、空気タンクの圧力が減圧弁で設定した調整圧力以下となった場合に警報音を発するようにしたので、作業者は可搬式コンプレッサより離れた場所で作業していても空気タンクの圧力低下を知ることができる。
【発明を実施するための最良の形態】
【０００９】
本発明の実施の形態を以下図面を参照して説明する。図１において、圧縮部２は電動機を駆動源とし外部より吸込んだ空気を圧縮加圧し空気タンク３に吐出する。空気タンク３には減圧弁４及びエアソケット５が取り付けられており、空気タンク３に蓄積された圧縮空気は減圧弁４にて使用する空気工具の圧力に調整（減圧）後、エアソケット５に接続されたエアホースを介して空気工具に供給される。また空気タンク３の圧力は、空気タンク３に取り付けられた圧力センサ６を介し制御部７にて検知される。制御部７は空気タンク３の圧力が最高圧力Ｐ１に達すると電動機１を停止させ、再起動圧力Ｐ２まで降下すると電動機１を運転させる。また制御部７は制御動作圧力設定部８により減圧弁４での調整圧力と同じ制御動作圧力Ｐ３の設定が可能で、かつ空気タンク３の圧力が設定した制御動作圧力Ｐ３になると発音部９より警報音を発する。
【００１０】
空気工具の消費空気量が圧縮機の吐出空気量より多い場合には図２に示すように空気タンク３の圧力が再起動圧力Ｐ２まで降下し電動機１が運転を開始しても圧力は降下し続けるが、設定された制御動作圧力Ｐ３に達すると発音部９より警報音を発するので、作業者は可搬式コンプレッサより離れた場所でも空気タンク３の圧力が減圧弁４の調整圧力以下となったことを知ることができる。
【図面の簡単な説明】
【００１１】
【図１】本発明可搬式コンプレッサの一実施形態を示す外観図。
【図２】吐出空気量が消費空気量より小なる時の空気タンクの圧力変化を示すグラフ。
【符号の説明】
【００１２】
１は電動機、２は圧縮部、３は空気タンク、４は減圧弁、５はエアソケット、６は圧力センサ、７は制御部、８は制御動作圧力設定部、９は発音部。
【図１】
2005113824.tif 000003
【図２】
2005113824.tif 000004
(57)【要約】      （修正有）【課題】海・湖水・滝・河川等の景観等の不損条件を消化、随所に設置可能。又ダ厶発電にも併用すれば現在初電力の倍増可能。設置難問と聞き及ぶ鳴門海峡も同じく設置可能。風力発電に於ても螺旋状板の段数に比例する回転軸力の増幅は弱風にも対応する風力又は水力発電装置の提供。【解決手段】円筒３内に装着した螺旋状板１に風力または水力を通し、増幅した中心軸２を以て他の発電機に負荷し発電する起動装置。【選択図】なし【特許請求の範囲】
【請求項１】
中心軸（２）に螺旋状板（１）を数段有した円筒（３）に風力又は水力を通し、回転軸（２）力を以て他の発電機に接続負荷する起動装置。
【発明の詳細な説明】
【技術分野】
【背景技術】
【発明の開示】
2005113893.tif 000002
【手続補正書】
【提出日】平成16年2月6日(2004.2.6)
【手続補正２】
【補正対象書類名】明細書
【補正対象項目名】全文
【補正方法】変更
【補正の内容】
【発明の詳細な説明】
【技術分野】
【０００１】  Ｌ型螺旋状板（１）を装着した中心軸（２）を内蔵する円筒（３）内に、風又は水流を通し、Ｌ型螺旋状板（１）の回転を起さしめ連動の中心軸（２）の一端を、他の発電機に接続負荷し発電可能の起動装置。
【背景技術】
【０００２】  近時風力発電装置の小型化が進み、太陽光発電と同様に公金補助制度を以て奨励云々と、聞き及ぶが、又、常時不変の海・河川等の水流の利用する発明も多く特許登録されている由も、実稼働には今一歩の模様と聞く。
【発明の開示】
【発明が解決しようとする課題】
【０００３】  無限に等しい自然に秘める風力又は水力を取出して如何に活用するか、共通する課題は、増幅方法、製作費、設置箇所、等々であろう。
【課題を解決をするための手段】
【０００４】  本発明は、Ｌ型螺旋状板（１）の段数に比例増幅する。製作費は、簡単な構造と、使う材質により低廉価。又、組立式にする事で大・小自由に製作可能。設置箇所としては、いづれも水面下に設置する故景観を損ねる事が無いので随所に設置可能である。
【発明の効果】
【０００５】  自然の力を有効に取り入れ、簡単な構造を以て最大に活用する本発明は、一度設置すれば半恒久的に効力を持続し、又、無公害でもある。
【発明の実施をするための最良の形態】
【０００６】  イ、河川に設置の場合＝上流より下流に向け、水面下に横転設置する。
ロ、海・湖水の場合＝水面下に直立設置して上部より水が落込む様にする。
ハ、滝の場合＝落下地点の水面下に直立設置。なお滝の落下前の流れも利用できる。
ニ、ダムの場合＝用水落下中間に本装置を設置。
ホ、鳴門海峡の渦潮の場合＝渦潮の移動範囲内に林立設置。
ヘ、風力の場合＝適当の長さのＬ型螺旋状板（１）を２本直立、２本の内１本は逆さにして上昇風にし逆回転とすることにより増幅率を高める。
【図面の簡単な説明】
【０００７】
【図１】    本発明の本体を示す「斜視図」である。
【符号の説明】
【０００８】    （１）  Ｌ型螺旋状板
（２）  中心回転軸
（３）  外筒
【手続補正３】
【補正対象書類名】図面
【補正対象項目名】全図
【補正方法】変更
【補正の内容】
【図１】
2005113893.tif 000003
【手続補正書】
【提出日】平成16年2月6日(2004.2.6)
【手続補正１】
【補正対象書類名】特許請求の範囲
【補正対象項目名】全文
【補正方法】変更
【補正の内容】
【特許請求の範囲】
【請求項１】
Ｌ型螺旋状板（１）を装着した中心軸（２）を内蔵する円筒（３）内に、風又は水流を通し、Ｌ型螺旋状板（１）の回転を起さしめ連動の中心軸（２）の一端を、他の発電機に接続負荷し発電可能の起動装置。
(57)【要約】  【課題】  耐荷重性を増大させ、しかも上下の壁内間の通気装置を簡単に得られる使用勝手の良好な横架材を提供する  【解決手段】  木材１，２と該木材１，２間に介在させた鋼板製の芯材３とで構成し、芯材３を断面凸凹形状にして上下両面を連通する多数の通気間隙４，…を列設する。【選択図】    図２
2005113518.tif 000002
【特許請求の範囲】
【請求項１】
木造建物の軸組材を構成する横架材において、木材と該木材間に介在させた鋼板製の芯材とで構成し、芯材を断面凸凹形状にして上下両面を連通する多数の通気間隙を列設した、横架材。
【発明の詳細な説明】
【技術分野】
【０００１】
本発明は、木造建物の軸組材を構成する横架材に関するものである。
【背景技術】
【０００２】
梁や桁などの横架材は柱と接合して木造建物の軸組材を構成するものであるが、該横架材の上下に形成される壁内の結露防止を図るため、当該横架材の所要個所に通気孔を穿設し、該通気孔によって前記上下の壁内を連通する場合がある。
【０００３】
しかしながら、通気孔を穿設しないことを前提として用いられる通常の横架材では断面欠損が大きくなるため強度が落ち横架材としての性能が低下するため、前記壁内を連通するには、通気口の穿設に対応できるもの（概し、径の大きいもの）を用いる必要があり、また、柱その他の軸組材も該横架材に対応させる必要がある。
【０００４】
いずれにしても、従来の横架材に前記連通孔を設けるには、該横架材に対応させて径や穿設位置等々考慮しなければならず、ときには、前記の通り穿設すらむずかしい場合がある。
【０００５】
本発明は、斯様な状況に対処でき、使用勝手が良好な横架材を提供すべく創案したものである。
【発明の開示】
【課題を解決するための手段】
【０００６】
木造建物の軸組材を構成する横架材において、木材と該木材間に介在させた鋼板製の芯材とで構成し、芯材を断面凸凹形状にして上下両面を連通する多数の通気間隙を列設した構成としたものである。
【発明の効果】
【０００７】
本発明によれば、鋼板製の芯材を用いたものであるから横架材そのものの強度（耐荷重性など）の向上を図れることは勿論、軸組装置（構造）に適用するだけで、上下壁内を自動的に連通することのできる横架材を提供でき、連通のために必要な二次作業も省略でき、延いては工事期間を短縮して低廉な木造建物を提供できる。
【実施例】
【０００８】
図面は本発明に係る横架材の一実施例を示し、図１は一部欠截斜視図、図２は使用状態を示す斜視図、図３は第二実施例の斜視図である。
【０００９】
図示、Ａは本発明に係る横架材で、横架材Ａは、内側木材１の両面に外側木材２，２を配し、該外側木材２と前記内側木材１との間に鋼板製の芯材３を介在させ、これらを互いに止着して構成したものである。
【００１０】
芯材３は横架材Ａの長手方向に沿って両面交互に断面方形の縦溝が現われるように凹凸を設けた鋼板で構成し、前記縦溝の存在により前記内側木材１および外側木材２，２との間に形成される通気間隙４，…を構成するものである。
【００１１】
通気間隙４を構成する前記凹凸は、前記の通り断面方形の縦溝が芯材の両面に現われる形態にしてあるが、波形或いはジグザグの凹凸形でも不都合のないことは勿論である。また、これは、横架材Ａすなわち芯材３の長手方向に沿って当該凹凸が等間隔を存して配せられるが、各凹凸部が必ずしも等間隔を存した配置関係になくとも良い。
【００１２】
芯材３と内側木材１又は外側木材２との止着手段は、実施例では接着手段（接着剤を用いて止着）を用いているが、図１の２点鎖線で示すように外側木材２側から打込んだ釘ｎの先端が内側木材１位置に存するように止着するようにした釘着手段でも差し支えがなく、該釘着手段と前記接着手段を併用しても不都合はない。
【００１３】
しかして、横架材Ａは柱１０と組合わせて（接合して）、木造建物の軸組装置１８を構成し、該軸組装置１８に壁材７（壁下地材）を張設して得られる壁８の上下の区画室８ａ，８ｂを前記通気間隙４，…で連通するようにして用いるのである。
【００１４】
なお、図示省略した接合金具を用いた横架材Ａの柱に対する接合に際しては、横架材Ａの端面に前記接合金具を係合するための溝を設ける等の二次加工を施す場合があるが、本発明に係る横架材Ａは、斯様な溝を設ける不都合のない程度の長さの芯材や木材を用い、例えば、図３で示すような溝１３を形成する場合は、内側木材１と芯材３を前記溝１３の奥行幅分短くし（従って、外側木材２はその分長くなる）て、各材１，２，３を前記のような手段で止着することによって得られる。
【００１５】
芯材３は単一にしても良いことは勿論である。
【図面の簡単な説明】
【００１６】
【図１】一部欠截斜視図。
【図２】使用状態を示す斜視図。
【図３】第二実施例の斜視図。
【符号の説明】
【００１７】
１      内側木材
２      外側木材
３      芯材
【図１】
2005113518.tif 000003
【図２】
2005113518.tif 000004
【図３】
2005113518.tif 000005